(57)【要約】【課題】端子が大きい場合であっても手指等が端子に触れる危険が少なく、また、開口端毎に絶縁部材を設ける必要がない、電源コネクタ等を提供することを目的とする。【解決手段】電源端子と、電源端子を支持するハウジングを有する。ハウジングは、仕切り部材によって仕切られた、導電部材が挿通される少なくとも２つの相隣り合う挿通口と、挿通口と連通した収容空間と、を有する。電源端子は、収容空間に設置され、少なくとも２つの相隣り合う挿通口を通じて挿入される導電部材と接触し得る接触部を有する。接触部は、少なくとも２つの相隣り合う挿通口を跨いで配置されている。【選択図】図１
2017199497.tif 000002
【特許請求の範囲】
【請求項１】
電源端子と、該電源端子を支持するハウジングを有し、
前記ハウジングは、仕切り部材によって仕切られた、導電部材が挿通される少なくとも２つの相隣り合う挿通口と、前記挿通口と連通した収容空間と、を有し、
前記電源端子は、前記収容空間に設置され、前記少なくとも２つの相隣り合う挿通口を通じて挿入される前記導電部材と接触し得る接触部を有し、
前記接触部が、前記少なくとも２つの相隣り合う挿通口を跨いで配置されていることを特徴とする電源コネクタ。
【請求項２】
前記仕切り部材は、前記挿通口を通じて挿入される前記導電部材の挿入方向に沿って前記収容空間内に延在している、請求項１に記載の電源コネクタ。
【請求項３】
前記少なくとも２つの相隣り合う挿通口を前記仕切り部材と交差する方向に仕切る他の仕切り部材を有する、請求項１又は２に記載の電源コネクタ。
【請求項４】
前記仕切り部材と前記他の仕切り部材は前記ハウジングを利用して形成されている、請求項３に記載の電源コネクタ。
【請求項５】
前記他の仕切り部材は、前記仕切り部材とともに、前記挿通口を通じて挿入される前記導電部材の挿入方向に沿って前記収容空間内に延在し、前記仕切り部材と前記他の仕切り部材とを利用して、複数の前記導電部材がそれぞれ収容される複数の収容ユニットが形成されている、請求項３又は４に記載の電源コネクタ。
【請求項６】
複数の前記導電部材は各々、前記導電部材毎に設けた被収容ユニットによって少なくとも一部を覆われており、前記被収容ユニットとともに前記収容ユニットにそれぞれ収容される、請求項５に記載の電源コネクタ。
【請求項７】
複数の前記導通部材は互いに連結されている、請求項５又は６に記載の電源コネクタ。
【請求項８】
前記接触部は、前記他の仕切り部材の一部を構成する、請求項５乃至７のいずれかに記載の電源コネクタ。
【請求項９】
前記接触部は、前記他の仕切り部材の一部よりも前記挿通口に対して前記導電部材の挿入側とは反対側に配置される、請求項８に記載の電源コネクタ。
【請求項１０】
前記接触部は、前記収容ユニットに挿入された前記導電部材によって挟持される、請求項８又は９に記載の電源コネクタ。
【請求項１１】
請求項５乃至１０のいずれかに記載の前記電源コネクタと、前記導電部材を支持する他の電源コネクタとを含み、複数の前記被収容ユニットは、前記他の電源コネクタのハウジングによって形成され、複数の前記導電部材は、当該ハウジングによって支持される、電源コネクタ装置。
【発明の詳細な説明】
【技術分野】
【０００１】
本発明は、例えば、手指と端子との接触防止機構を備えた電源コネクタ、及び、これを用いる電源コネクタ装置に関する。
【背景技術】
【０００２】
特開２０１４−１７９２９０号公報（特許文献１）に、端子接触防止機構を備えた電源コネクタの一例が示されている。この電源コネクタの前面には、端子を受容する受容部に通ずる開口が設けられている。相手電源コネクタの相手端子は、この開口を通じて受容部に挿通されて、受容部に設けた端子と接続されることになる。特許文献１では、開口、特に、その端部の開口端を通じて誤って入り込んだ手指が、受容部に受容されている端子に触れて感電事故等が発生することを防止するため、端子の先端に絶縁部材を固定することとしている。
【先行技術文献】
【特許文献】
【０００３】
【特許文献１】特開２０１４−１７９２９０号公報
【発明の概要】
【発明が解決しようとする課題】
【０００４】
特許文献１の構成によれば、手指は端子に触れる前に絶縁部材に触れることになるため感電事故等を防止することができる。しかしながら、電流値が高くなり端子がそれに伴って大きくなるにつれ、開口端も大きくなり、この結果、手指等が端子に触れる危険も大きくなる。また、絶縁部材を端子毎に設けた場合、端子の大きさに合わせて絶縁部材の大きさを調整しなければならず、また、開口端毎に端子を設ける必要がある場合には、絶縁部材も開口端毎に設ける必要があるため作業が非常に煩雑となり、製造コストも増加する。
本発明はこのような従来技術における問題点を解決するためになされたものであり、端子が大きい場合であっても手指等が端子に触れる危険が少なく、また、開口端毎に絶縁部材を設ける必要がない、電源コネクタ等を提供することを目的とする。
【課題を解決するための手段】
【０００５】
上記の課題を解決するため、本発明の一態様による電源コネクタは、電源端子と、該電源端子を支持するハウジングを有し、前記ハウジングは、仕切り部材によって仕切られた、導電部材が挿通される少なくとも２つの相隣り合う挿通口と、前記挿通口と連通した収容空間と、を有し、前記電源端子は、前記収容空間に設置され、前記少なくとも２つの相隣り合う挿通口を通じて挿入される前記導電部材と接触し得る接触部を有し、前記接触部が、前記少なくとも２つの相隣り合う挿通口を跨いで配置されていることを特徴として有する。
この態様の電源コネクタによれば、端子が大きい場合であっても手指が端子に触れる危険が少なく、また、開口端毎に絶縁部材を設ける必要がない、電源コネクタ等を提供することができる。
【０００６】
上記態様の電源コネクタにおいて、前記仕切り部材は、前記挿通口を通じて挿入される前記導電部材の挿入方向に沿って前記収容空間内に延在しているのが好ましい。
この態様の電源コネクタによれば、仕切り部材を収容空間内に導電部材の挿入方向に沿って延在させることにより、導電部材を収容空間により安定した状態で挿抜させることができる。
【０００７】
また、上記態様の電源コネクタにおいて、前記少なくとも２つの相隣り合う挿通口を前記仕切り部材と交差する方向に仕切る他の仕切り部材を有するのが好ましい。
この態様の電源コネクタによれば、他の仕切り部材によって挿通口を更に小さくして、手指が接触部に触れることによる事故をより効果的に防止することができる。
【０００８】
更に、上記態様の電源コネクタにおいて、前記仕切り部材と前記他の仕切り部材は前記ハウジングを利用して形成されているのが好ましい。
この態様の電源コネクタによれば、ハウジングを利用して仕切り部材や他の仕切り部材を形成することにより、例えば、一体成形等により仕切り部材を安価に作ることができる。
【０００９】
更に、上記態様の電源コネクタにおいて、前記他の仕切り部材は、前記仕切り部材とともに、前記挿通口を通じて挿入される前記導電部材の挿入方向に沿って前記収容空間内に延在し、前記仕切り部材と前記他の仕切り部材とを利用して、複数の前記導電部材がそれぞれ収容される複数の収容ユニットが形成されるのが好ましい。
この態様の電源コネクタによれば、収容ユニットを設けることにより、導電部材を収容空間により安定した状態で挿抜させることができる。
【００１０】
また、上記態様の電源コネクタにおいて、複数の前記導電部材は各々、前記導電部材毎に設けた被収容ユニットによって少なくとも一部を覆われており、前記被収容ユニットとともに前記収容ユニットにそれぞれ収容されてもよい。
この態様の電源コネクタによれば、各導電部材を補強して、被収容ユニットへの収容時における導電部材の座屈その他の問題を減少させることができる。
更に、上記態様の電源コネクタにおいて、複数の前記導通部材は互いに連結されていてもよい。
この態様の電源コネクタによれば、導電部材を連結させることにより、複数の導電部材を一体的に取り扱うことができる。
【００１１】
更にまた、上記態様の電源コネクタにおいて、前記接触部は、前記他の仕切り部材の一部を構成するのが好ましい。
この態様の電源コネクタによれば、接触部を他の仕切り部材の一部として構成することにより、電源コネクタの構造を簡易化することができる。
【００１２】
また、上記態様の電源コネクタにおいて、前記接触部は、前記他の仕切り部材の一部よりも前記挿通口に対して前記導電部材の挿入側とは反対側に配置されるのが好ましい。
この態様の電源コネクタによれば、接触部に対して導電部材の挿入側に他の仕切り部材が配置されるため、手指と接触部の接触を防止することができる。
【００１３】
また、上記態様の電源コネクタにおいて、前記接触部は、前記収容ユニットによって挟持されるのが好ましい。
この態様の電源コネクタによれば、接触部を導電部材によって挟持することにより、接触部と導電部材の接触を安定させることができる。
上記態様の電源コネクタは、導電部材を支持する他の電源コネクタと電源コネクタ装置を形成してもよい。
【発明の効果】
【００１４】
本発明によれば、端子が大きい場合であっても手指が端子に触れる危険が少なく、また、開口端毎に絶縁部材を設ける必要がない、電源コネクタ等が提供される。
【図面の簡単な説明】
【００１５】
【図１】本発明の一つの好適な実施形態による電源コネクタ装置の外観斜視図である。
【図２】プラグコネクタのみの概略斜視図である。
【図３】プラグコネクタとソケットコネクタの嵌合状態を示す側面図である。
【図４】図３のＡ−Ａ線断面図である。
【図５】ソケットコネクタの分解斜視図である。
【図６】ソケットハウジングの正面図である。
【図７】図６の断面図である。
【図８】プラグコネクタの分解斜視図である。
【図９】プラグハウジングの正面図である。
【図１０】図９の断面図である。
【図１１】プラグ端子とソケット端子の接続状態を示す斜視図である。
【図１２】変形例によるプラグコネクタの斜視図である。
【図１３】変形例によるソケットコネクタの斜視図である。
【図１４】他の変形例によるソケットコネクタの斜視図である。
【発明を実施するための形態】
【００１６】
以下、添付図面を参照しつつ、本発明の一つの好適な実施形態について説明する。以下においては、説明の便宜のために本発明の好適な実施形態のみを示すが、勿論、これによって本発明を限定しようとするものではない。
【００１７】
図１に、本発明の一つの好適な実施形態による電源コネクタ装置の外観斜視図を示す。電源コネクタ装置１は、電源コネクタ２０と電源コネクタ７０の組から成る。電源コネクタ２０は、例えばプラグコネクタであってもよく、電源コネクタ７０は、例えば、ソケットコネクタであってもよい。プラグコネクタ２０とソケットコネクタ７０は、それぞれ、左右対称形状を有する。プラグコネクタ２０は、図示矢印「ａ」方向に沿ってソケットコネクタ７０に挿抜させることができる。
【００１８】
図２は、プラグコネクタ２０の概略斜視図である。便宜上、ここでは、プラグコネクタ２０に、ソケットコネクタ７０に設けたソケット端子（導電部材）９０が挿入された状態を示す。
【００１９】
これらの図に示すように、ソケットコネクタ７０は、ソケット端子９０（図２参照）と、ソケット端子９０を支持する絶縁性のソケットハウジング７２を含む。また、ソケットハウジング７２は、挿抜方向「ａ」に沿って、基体７３と、基体７３よりも幅広とされた幅広部７５と、更に幅広のフランジ７４を含む。電源ケーブル４は、ソケットハウジング７２と同方向「ａ」に延びている。フランジ７４には螺子穴７４ａが設けられており、これらの螺子穴７４ａを利用してソケットコネクタ７０を筐体（図示されていない）の表面に螺子止め等することができる。フランジ７４と幅広部７５には、プラグコネクタ２０の一部が挿抜される挿抜空間７８が形成されている。挿抜空間７８には、左右に１個ずつ計２個の被収容部８０がプラグコネクタ２０側に突出した状態で設けられている。
【００２０】
プラグコネクタ２０は、プラグ端子４０（図２参照）と、プラグ端子４０を支持する絶縁性のプラグハウジング２２と、プラグ端子４０をプラグハウジング２２に固定する固定部６０を含む。プラグハウジング２２は、側面視Ｌ字状の、いわゆるライトアングルコネクタであって、電源ケーブル３と同方向「ｂ」に延びる基体２３と、基体２３に対して直角方向（図示矢印「ａ」方向）に沿ってソケットコネクタ７０側に延びる被挿抜部２８とを含む。
【００２１】
プラグコネクタ２０とソケットコネクタ７０の嵌合時には、ソケットコネクタ７０の挿抜空間７８に、プラグコネクタ２０の被挿抜部２８が挿入され、更に、被挿抜部２８に設けた収容空間３０に、挿抜空間７８に設けた被収容部８０が挿入される。この結果、ソケットコネクタ７０に設けたソケット端子９０と、プラグコネクタ２０に設けたプラグ端子４０が接触し得る。図３に、プラグコネクタ２０とソケットコネクタ７０の嵌合状態を側面図で示し、図４に、図３のＡ−Ａ線断面図を示す。
【００２２】
ソケットコネクタ７０の挿抜空間７８の挿抜口の上部には、凹部７８ａが設けられており、これに対応して、プラグコネクタ２０の被挿抜部２８の上部には、凸部２８ａが設けられている。プラグコネクタ２０とソケットコネクタ７０の嵌合時に、これら凹部７８ａと凸部２８ａを適合させることにより、プラグコネクタ２０を正しい向きでソケットコネクタ７０へ案内することが容易となっている。
【００２３】
プラグコネクタ２０の被挿抜部２８の左右側面には、被挿抜部２８の先端から固定部６０側に向けて延びる弾性腕２４ａによって支持されたロック突部２４が設けられている。プラグコネクタ２０とソケットコネクタ７０の嵌合時に、ロック突部２４は、ソケットコネクタ７０の所定部分（図示されていない）に係止され、プラグコネクタ２０とソケットコネクタ７０の嵌合状態がロックされる。このロック状態は、弾性腕２４ａの端部に設けたロック操作部２５を利用して自由に解除することができる。ロック操作部２５の上下方向における過剰な偏移を防止するため、上下動を規制する上方張出部２３ａと下方張出部２３ｂが設けられている。
【００２４】
図５に、ソケットコネクタ７０の分解斜視図を示す。左右に１個ずつ設けた計２個のソケット端子９０はそれぞれ、一枚の金属板を打ち抜き、折り曲げることにより成る。ソケット端子９０は、筒状の基部９１と、基部９１の後側に設けた、ケーブル４にカシメられるカシメ部９４と、基部９１とカシメ部９４とを繋ぐ繋部９３と、基部９１の先側に設けた弾性接触片９２を含む。
【００２５】
カシメ部９４に電源ケーブル４が固定された状態で、ソケット端子９０は、ソケットハウジング７２の挿通穴８１に基体７３の後方に設けた開口７９を通じて挿入される。ソケット端子９０の基部９１には、挿通穴８１にソケット端子９０が挿入されたときにソケットハウジング７２の内壁と接触してソケット端子９０のガタツキを抑える突出部９１ａを設けるのが好ましい。基部９１の上面から上方に突き出した部分９５は、挿通穴８１にソケット端子９０が挿入されたときに、ソケットハウジング７２に対する被係止部として使用され得る。
【００２６】
各弾性接触片９２は、複数個、ここでは４個の端子ユニット９２−１〜９２−４に分割されている。これらの端子ユニット９２−１〜９２−４は、基部９１を介して互いに連結されているため、端子ユニット９２−１〜９２−４は、ここでは、一体的に取り扱うことができる。各端子ユニット９２−１〜９２−４の先端には、プラグ端子４０との接点９２ａが形成されている。
【００２７】
図６に、ソケットハウジング７２の正面図を、また、図７の（ａ）に、図６のＡ−Ａ線断面図、（ｂ）に、そのＢ−Ｂ線断面図、（ｃ）に、図７の（ａ）におけるＣ−Ｃ線断面図を、それぞれ示す。
【００２８】
端子ユニット９２−１〜９２−４（図５参照）に対応して左右に１個ずつ設けた計２個の被収容部８０はそれぞれ、計４個のより小さな被収容ユニット（開口端）８０−１〜８０−４に分割されている。被収容ユニット８０−１〜８０−４に分割するため、被収容部８０には、例えば、十字に交差した２本の切り込み８６ａ、８６ｂが設けられている。一方は縦方向の切り込み８６ａ、他方は横方向の切り込み８６ｂである。これらの各被収容ユニット８０−１〜８０−４によって、端子ユニット９２−１〜９２−４はそれぞれ、プラグ端子４０との接触に用いる中心側の面、換言すれば、他の端子ユニットとの対向面を除く面の略全体を覆われている。更に詳細には、端子ユニット９２−１〜９２−４はそれぞれ、プラグコネクタ２０に対する挿入側（前側）の面を各被収容ユニット８０−１〜８０−４の前壁８４−１〜８４−４によって、また、２つの側周面を各被収容ユニット８０−１〜８０−４の側周壁８５−１〜８５−４によって、それぞれ覆われている。これら前壁８４と側周壁８５によって、ソケット端子９０と手指の不用意な接触を防止することができるとともに、収容空間３０への被収容ユニット８０−１〜８０−４の挿抜時に端子ユニット９２−１〜９２−４を誤って座屈させるといった問題を軽減することができる。
【００２９】
ソケットハウジング７２の挿通穴８１の内部には、弾性腕８２によって弾性変位可能に支持された係止部８２ａが設けられている。挿通穴８１にソケット端子９０が挿入された際、係止部８２は、ソケット端子９０の基部７３に設けた被係止部９５（図５参照）と係止され、そこに固定される。
【００３０】
図８に、プラグコネクタ２０の分解斜視図を示す。プラグ端子４０は、一枚の金属板を打ち抜き、折り曲げることにより成り、平面視略Ｌ字状の垂直方向に延びる基部４１と、この基部４１にから水平方向に延びる接触部４２と、基部４１の下方に延びるカシメ部４４を含む。カシメ部４４は、電源ケーブル３の内部に配置された導線３ａにカシメられた状態で使用される。プラグ端子４０は、カシメ部４４によって電源ケーブル３が固定された状態で、プラグハウジング２２の後方から挿入、設置される。プラグハウジング２２には、更に、その後方から固定部６０が固定される。
【００３１】
接触部４２は、例えば、平板状の接触片であってもよい。強度を確保し、また高電流、に対応可能とするため、接触部４１は金属板を２枚重ねた状態で形成されている。接触部４２は、縦方向、即ち、プラグハウジング２２の基体２３と同方向「ｂ」に沿って設けられ、プラグハウジング２２にその後側から挿入、設置される。
【００３２】
プラグハウジング２２の基体２３の後側に、凹状に窪んだ設置空間２９が設けられている。接触部４２をプラグハウジング２２に挿入、設置する際、上方の設置空間２９ａには、基部４１が設置され、下方の設置空間２９ｂには、カシメ部４４や電源ケーブル３の一部が設置される。
【００３３】
プラグハウジング２２の基体２３の天井面と側面にそれぞれ、係止凸部２６ａ、２６ｂが設けられており、これに対応して、固定部６０の基体６１には、プラグハウジング２２の基体２３に向かって突出した枠体６３ａ、６３ｂが設けられている。枠体６３ａ、６３ｂには、それぞれ、係止穴６２ａ、６２ｂが形成されており、これらの係止穴６２ａ、６２ｂに、係止凸部２６ａ、２６ｂをそれぞれ係止させることにより、プラグ端子４０をプラグハウジング２２に保持した状態で、固定部６０を基体２３に固定することができる。
【００３４】
図９に、プラグハウジング２２の正面図を、また、図１０の（ａ）に、図９のＡ−Ａ線断面図、（ｂ）に、そのＢ−Ｂ線断面図、（ｃ）に、図１０の（ａ）におけるＣ−Ｃ線断面図を、それぞれ示す。
【００３５】
プラグハウジング２２の被挿抜部２８に設けた収容空間３０の入口、即ち、左右に１個ずつ設けた計２個の挿通口３０ａはそれぞれ、十字に交差した２個の仕切り部材３２、３３を利用して、計４個のより小さな挿通口ユニット３０−１ａ〜３０−４ａに分割されている。これらの仕切り部材３２、３３によって分割することにより、挿通口３０ａはより小さく設定され、この結果、手指が接触部４２に触れることによる事故を効果的に防止することができる。より多くの仕切り部材を設けて、挿通口３０ａをより小さく設定してもよい。
【００３６】
仕切り部材３３は、横方向、即ち、接触部４２と交差する方向、例えば、接触部４２と直交する図示矢印「ｃ」方向に設置されていてもよい。仕切り部材３３は、プラグハウジング２２を利用して構成されていてもよい。プラグハウジング２２を利用することにより、仕切り部材３３を別部材として設けるよりも、コストを削減することができる。仕切り部材３３を設けたことにより、大きな接触部４２、更に言えば、相隣り合う挿通口、即ち、挿通口ユニット３０−１ａと挿通口ユニット３０−３ａや、挿通口ユニット３０−２ａと挿通口ユニット３０−４ａを跨いで配置されるような、大きな接触部４２を使用する場合であっても、相隣り合う挿通口ユニット３０−1ａと挿通口ユニット３０−３ａの間、及び、相隣り合う挿通口ユニット３０−２ａと挿通口ユニット３０−４ａの間を、仕切り部材３３によって仕切るようにして、挿通口３０ａをより小さくすることができる。仕切り部材３３は、絶縁性のプラグハウジング２２によって形成されているため、その先端部３３ａを含め、仕切り部材３３に手指が触れても感電することはない。従って、誤って電源端子４０の接触部４２に触れることによる感電事故等を防止できる。尚、仕切り部材３３は、各挿通口ユニット３０−１ａ〜３０−４ａを通じて挿入されるソケット端子９０の挿入方向「ａ」に沿って収容空間３０内に延在しているのが好ましい。これにより、ソケット端子９０をより安定した状態で挿抜させることができる。また、仕切り部材３３は、本実施形態に示すように、図示矢印「ｃ」方向において挿通口３０ａを構成する内壁と連結されているのが好ましい。これにより、仕切り部材３３の強度を高めることができる。
【００３７】
仕切り部材３２は、縦方向、即ち、仕切り部材３３と交差する方向、例えば、接触部４２と同方向「ｂ」に設置されていてもよい。仕切り部材３２は、プラグハウジング２２を利用して構成されていてもよい。プラグハウジング２２だけで構成されていてもよいが、本実施形態のように、プラグハウジング２２のうちの、例えば、挿通口３０ａの入口付近に配置された略コの字状の部分３２ｂと、この略コの字状の部分３２ｂに取り付けられた接触部４２とを利用して構成されてもよい。接触部４２を仕切り部材３２の一部として利用することにより、接触部４２と仕切り部材３２を別個に設けた場合よりも、電源コネクタの構造を簡易にすることができる。接触部４２は、例えば、略コの字状の部分３２ｂの内部に設けた矩形の設置空間３２ａに設置されてもよいし（図１０の（ｂ）、（ｃ）参照）、更に、仕切り部材３３に設けた設置用のスロット３３ｂに挿入されてもよい（図１０の（ａ）、（ｃ）参照）。接触部４２は、挿通口３０ａを通じて挿入されるソケット端子の挿入方向「ａ」に沿って略コの字状の部分３２ｂと整列され、略コの字状の部分３２ｂやスロット３３ｂを利用して、そこに安定した状態で配置され得る。このとき、接触部４２は、略コの字状の部分３２ｂの少なくとも一部よりも挿通口３０ａに対してソケット端子９０の挿入側とは反対側に位置付けられる。この結果、手指が電源端子４０の接触部４２に誤って触れることによる感電事故等を効果的に防止することができる。略コの字状の部分３２ｂと、この略コの字状の部分３２ｂの設置空間３２ａに設置された接触部４２と、によって形成された仕切り部材３２は、仕切り部材３３と同様に、挿通口３０ａを通じて挿入されるソケット端子９０の挿入方向「ａ」に沿って収容空間３０内に延在しているのが好ましい。これにより、ソケット端子９０をより安定した状態で挿抜させることができる。また、仕切り部材３２は、本実施形態に示すように、図示矢印「ｂ」方向において挿通口３０ａを構成する内壁と連結されているのが好ましい。これにより、仕切り部材３２の強度を高めることができる。
【００３８】
これら仕切り部材３２、３３によって、収容空間３０には、収容ユニット３０−１〜３０−４が形成される。収容ユニット３０−１〜３０−４にはそれぞれ、ソケットハウジング７２の各被収容ユニット８０−１〜８０−４が、ソケット端子９０の端子ユニット９２−１〜９２−４とともに挿入される。収容ユニット３０−１〜３０−４を設けることにより、被収容ユニット８０−１〜８０−４や端子ユニット９２−１〜９２−４を、収容空間９０により安定した状態で挿抜させることができる。
【００３９】
図４に示されているように、プラグコネクタとソケットコネクタの嵌合時には、ソケットコネクタの端子ユニット９２−１〜９２−４は、各端子ユニット９２−１〜９２−４の少なくとも一部をそれぞれ覆う被収容ユニット８０−１〜８０−４とともに、プラグコネクタの挿通口ユニットを通じて収容ユニット３０−１〜３０−４にそれぞれ収容される。図１１は、プラグコネクタとソケットコネクタの嵌合時における、プラグ端子４０の接触部４２と端子ユニット９２−１〜９２−４との接続状態を、端子以外の部材を取り除いた状態で示した斜視図である。この図に示すように、接触部４２は、端子ユニット９２−１〜９２−４によって挟持されてもよい。本実施形態では、１つの接触部４２が、端子ユニット９２−１と端子ユニット９２−２の間に、且つ、端子ユニット９２−３と端子７ユニット９２−４の間に、それぞれ挟持されている。接触部４２を端子ユニット９２−１〜９２−４によって挟持させることにより、接触部４２と端子ユニット９２−１〜９２−４の接触をより安定したものとすることができる。また、接触部４２に対してソケット端子９０が複数箇所（図１１では４個の端子ユニット９２−１〜９２−４）で接触する、いわゆる多接点構造となっていることにより、高電流においても発熱などの不具合を生じさせることがない。
【００４０】
図１２、図１３に、図１乃至図１１に示した実施形態の変形例を示す。図１２は、図１等に示した実施形態における図２に対応する図であって、プラグコネクタのみの概略斜視図、図１３は、この図１２に示したプラグコネクタに用いるソケットコネクタの概略斜視図である。この変形例によるプラグコネクタ２０Ａでは、接触部４２Ａが、図１等の実施形態よりも大きく設定されており、従って、縦方向の仕切り部材３２Ａもより大きく設定されている。更に、この仕切り部材３２Ａと交差する横方向の仕切り部材３３Ａ−１、３３Ａ−２は、ここでは２個設けられている。この結果、変形例では、計６個の収容ユニット３０Ａ−１〜３０Ａ−６が形成されている。これに対応して、図１３に示すように、ソケットコネクタ７０Ａには、計６個の被収容ユニット８０Ａ−１〜８０Ａ−６と計６個の端子ユニット９０Ａ−１〜９０Ａ−６（図面の都合上、一部のみしか示されていない）が、設けられている。
【００４１】
図１４に、他の変形例を示す。この図は、他の変形例によるソケット２０Ｂの概略斜視図である。ここでは、図１等の実施形態と異なり、プラグハウジング２２Ｂは側面視直線状のいわゆるストレートタイプのコネクタとされている。筐体の形状や筐体の置き場所等の使用状況によっては、図１等に示したライトアングルコネクタではなく、図１４に示すようなストレートタイプとするのが好ましい。
【００４２】
尚、プラグコネクタ２０の挿通口３０ａや収容空間３０には、ソケット端子９０のみならず、ソケットハウジング７２も挿入されるものとして説明したが、ソケットハウジング７２を挿入せず、ソケット端子９０だけを挿入するような構成としてもよい。また、収容空間３０には、ソケット端子９０だけでなく、その他様々な導電部材を挿入することができる。従って、本発明は、ソケット端子だけを対象としたものではなく、ソケットハウジングを用いた、或いは、用いない、様々な導電部材を対象としている。
【００４３】
本発明の更に別の態様、特徴及び効果は、本発明を実施するよう意図された最良の態様を含めて、多数の特定の実施形態及び実施例を示すだけで、以下の詳細な説明から容易に明らかとなろう。又、本発明は、他の及び異なる実施形態で構成することもでき、そしてその多数の細部は、本発明の精神及び範囲から逸脱せずに、種々の明らかな観点において変更することができる。従って、図面及び説明は、例示に過ぎず、これに限定されるものではない。
【符号の説明】
【００４４】
１  電源コネクタ装置
２０  プラグコネクタ（電源コネクタ）
２２  プラグハウジング
２９  設置空間
３０  収容空間
３０a  挿通口
３０−１〜３０−４  収容ユニット
３２  仕切り部材
３２ａ  設置空間
３２ｂ  コの字状の部分
３３  仕切り部材
４０  プラグ端子（電源端子）
７０  ソケットコネクタ（他の電源コネクタ）
７２  ソケットハウジング
７８  挿抜空間
８０  被収容部
８０−１〜８０−４  被収容ユニット
９０  ソケット端子（導電部材）
９２−１〜４  端子ユニット
【図１】
2017199497.tif 000003
【図２】
2017199497.tif 000004
【図３】
2017199497.tif 000005
【図４】
2017199497.tif 000006
【図５】
2017199497.tif 000007
【図６】
2017199497.tif 000008
【図７】
2017199497.tif 000009
【図８】
2017199497.tif 000010
【図９】
2017199497.tif 000011
【図１０】
2017199497.tif 000012
【図１１】
2017199497.tif 000013
【図１２】
2017199497.tif 000014
【図１３】
2017199497.tif 000015
【図１４】
2017199497.tif 000016